(57)【要約】      （修正有）【課題】透明または半透明の部品が本体ケースの一部に使用される空気調和装置に関するもので、組立作業性を向上する。【解決手段】本体ケースは、本体ケースにおける天面に第１の開口部１５と、本体ケースにおける一方側の側面に第２の開口部１６とを備えたケース部１１と、第１の開口部１５の一部を覆う天面部１２と、第１の開口部１５の一部と第２の開口部１６とを覆う側面部１３と、側面部１３の内方に設けた中板部１４とから形成し、側面部１３は、透明または半透明の樹脂で、天面板部１９または曲面板部２０の内面には、中板上支持部２１を備え、側面板部１８の下部には、中板下支持部を備え、中板部１４の少なくとも一部を中板上支持部２１と中板下支持部と間に嵌め、側面部１３に沿わせるように湾曲させて固定する構成とした空気調和装置。【選択図】図３
2012193886.tif 000002
【特許請求の範囲】
【請求項１】
吸気口と送風口とを有する本体ケースと、この本体ケース内に設けた空気調和手段と送風手段とを備え、前記本体ケースは、略箱形状で、前記本体ケースにおける天面に第１の開口部と、前記本体ケースにおける一方側の側面に第２の開口部とを備えたケース部と、前記第１の開口部の一部を覆う天面部と、前記第１の開口部の一部と前記第２の開口部とを覆う側面部と、前記側面部の内方に設けた中板部とから形成し、前記側面部は、前記本体ケースにおける一方側の側面である側面板部と、前記本体ケースにおける天面の一部である天面板部と、前記側面板部と前記天面板部とを連結する曲面板部とから形成し、前記側面部は、透明または半透明の樹脂で、前記天面板部または曲面板部の内面には、中板上支持部を備え、前記側面板部の下部には、中板下支持部を備え、前記中板部の少なくとも一部を前記中板上支持部と前記中板下支持部と間に嵌め、前記側面部に沿わせるように湾曲させて固定する構成とした空気調和装置。
【請求項２】
前記側面板部の両側端には、中板側端支持部を設けた構成とした請求項１記載の空気調和装置。
【請求項３】
前記中板側端支持部と中板下支持部とは連結していることを特徴とする請求項１または２記載の空気調和装置。
【請求項４】
前記中板部は、前記中板側端支持部の間に両側端から延びたフランジ部を設けた構成とした請求項１〜３のいずれかに記載の空気調和装置。
【請求項５】
前記ケース部の前記第２の開口部の下部にはスライド部を設け、前記第２の開口部の上部には中板上支持受部を設け、前記側面板部を前記第２の開口部の上から下方向へ挿入すると、前記側面板部の中板側端支持部の一部が前記ケース部の前記スライド部に嵌り、前記側面板部の中板上支持部が前記第２の開口部の前記中板上支持受部に嵌る構成とした請求項１〜４のいずれかに記載の空気調和装置。
【請求項６】
前記天面部には、前記本体ケースへのねじ止め部と、前記天面部から前記本体ケースの前記第２の開口部へ延びた押さえ部を設け、前記側面部の前記天面板部または曲面板部の内面には、押さえ受け部を備え、前記天面部の前記押さえ部を前記側面部の前記押さえ受け部に嵌め、前記天面部と共に前記側面板部を前記第２の開口部の上から下方向へ挿入すると、前記側面板部の中板側端支持部の一部が前記ケース部の前記スライド部に嵌り、前記側面板部の中板上支持部が前記第２の開口部の前記中板上支持受部に嵌る構成とした請求項１〜５のいずれかに記載の空気調和装置。
【発明の詳細な説明】
【技術分野】
【０００１】
本発明は、透明または半透明の部品が本体ケースの一部に使用される空気調和装置に関する。
【背景技術】
【０００２】
従来この種の空気調和装置は、吸気口と送風口とを有する本体ケースと、この本体ケース内に設けた空気調和手段と送風手段とを備え、前記本体ケースは、略箱形状で、前記本体ケースにおける天面に第１の開口部と、前記本体ケースにおける一方側の側面に第２の開口部とを備えたケース部と、前記第１の開口部を覆う天面部と、前記第２の開口部とを覆う側面部と、前記側面部の内方に設けた中板部とから形成し、前記側面部は、前記本体ケースにおける一方側の側面である側面板部から形成し、前記側面部は、透明または半透明の樹脂で、前記本体ケースには中板部を保持し、中板部を前記側面部の内方に押し当てる保持部を備えた構成とした空気調和装置（例えば、特許文献１参照）。
【先行技術文献】
【特許文献】
【０００３】
【特許文献１】特開２００７−２２２８３８号公報
【発明の概要】
【発明が解決しようとする課題】
【０００４】
上記従来例における課題としては、組立作業性の向上が求められていることである。
【０００５】
すなわち、本体ケースに、側面部と中板部とを取付ける場合には、まず、本体ケースの第２の開口部に側面部を装着し、この側面部と本体ケースの保持部との間に中板部を挿入するものである。ここで、本体ケースの保持部によって中板部を側面部に押し当てる為、側面部と本体ケースの保持部との間隔が狭く、挿入が容易でない上、挿入時に中板部の表面が側面部と擦れ、傷付く場合があった。
【０００６】
そこで従来は、中板部と側面部とを重ね合わせ、中板部と側面部とが擦れないように本体ケースの第２の開口部に装着していたが、中板部と側面部とがずれないように挿入することは、手間がかかる組立作業となっていた。
【０００７】
そこで本発明は、組立作業性を向上させることを目的とするものである。
【課題を解決するための手段】
【０００８】
そしてこの目的を達成するために本発明は、吸気口と送風口とを有する本体ケースと、この本体ケース内に設けた空気調和手段と送風手段とを備え、前記本体ケースは、略箱形状で、前記本体ケースにおける天面に第１の開口部と、前記本体ケースにおける一方側の側面に第２の開口部とを備えたケース部と、前記第１の開口部の一部を覆う天面部と、前記第１の開口部の一部と前記第２の開口部とを覆う側面部と、前記側面部の内方に設けた中板部とから形成し、前記側面部は、前記本体ケースにおける一方側の側面である側面板部と、前記本体ケースにおける天面の一部である天面板部と、前記側面板部と前記天面板部とを連結する曲面板部とから形成し、前記側面部は、透明または半透明の樹脂で、前記天面板部または曲面板部の内面には、中板上支持部を備え、前記側面板部の下部には、中板下支持部を備え、前記中板部の少なくとも一部を前記中板上支持部と前記中板下支持部と間に嵌め、前記側面部に沿わせるように湾曲させて固定する構成としたものであり、これにより初期の目的を達成するものである。
【発明の効果】
【０００９】
以上のように本発明は、吸気口と送風口とを有する本体ケースと、この本体ケース内に設けた空気調和手段と送風手段とを備え、前記本体ケースは、略箱形状で、前記本体ケースにおける天面に第１の開口部と、前記本体ケースにおける一方側の側面に第２の開口部とを備えたケース部と、前記第１の開口部の一部を覆う天面部と、前記第１の開口部の一部と前記第２の開口部とを覆う側面部と、前記側面部の内方に設けた中板部とから形成し、前記側面部は、前記本体ケースにおける一方側の側面である側面板部と、前記本体ケースにおける天面の一部である天面板部と、前記側面板部と前記天面板部とを連結する曲面板部とから形成し、前記側面部は、透明または半透明の樹脂で、前記天面板部または曲面板部の内面には、中板上支持部を備え、前記側面板部の下部には、中板下支持部を備え、前記中板部の少なくとも一部を前記中板上支持部と前記中板下支持部と間に嵌め、前記側面部に沿わせるように湾曲させて固定する構成としたものであり、組立作業性を向上することが出来るものである。
【００１０】
すなわち、側面部は、本体ケースにおける一方側の側面である側面板部と、本体ケースにおける天面の一部である天面板部と、側面板部と天面板部とを連結する曲面板部とから形成し、側面部は、透明または半透明の樹脂で、天面板部または曲面板部の内面には、中板上支持部を備え、側面板部の下部には、中板下支持部を備えたものである。
【００１１】
これにより、中板部の少なくとも一部を中板上支持部と中板下支持部と間に嵌め、側面部に沿わせるように湾曲させて固定できるものである。
【００１２】
つまり、中板部の少なくとも一部を中板上支持部に嵌め、側面部に沿わせるように湾曲させながら、中板下支持部に嵌め固定できるので、中板部と側面部とが擦れることなく、固定でき、この中板部を側面部に固定した状態で、本体ケースの第２の開口部に装着できるものである。
【００１３】
結果として、組立作業性を向上することが出来るものである。
【図面の簡単な説明】
【００１４】
【図１】本発明の実施形態１を示す斜視図
【図２】同実施形態１の断面概略図
【図３】同本体ケースの展開概略図
【図４】同本体ケースの中板上支持受部の拡大図
【図５】同本体ケースの側面板部の斜視図
【図６】同本体ケースの天板部の斜視図
【発明を実施するための形態】
【００１５】
（実施の形態１）
以下本発明の一実施形態を添付図面を用いて説明する。図１および２において、１は縦長箱状の本体ケースで、本体ケース内には、空気調和手段と送風手段とを備えている。この本体ケース１の背面には吸込口２、上面の背面側には送風口３が設けられている。
【００１６】
空気調和手段は、本実施例では除湿手段である。この除湿手段は、本体ケース１内に設けた、圧縮機（図示せず）と、凝縮器４、蒸発器５を備えた冷凍サイクルと、除湿ロータ６とからなるものである。すなわち、上記先行文献にも類似する構成が記載されているので、ここでは説明を簡略化するが、本実施形態の除湿動作は以下のようになっている。先ずモータ７によりファン８を駆動すると、吸込口２から室内空気が本体ケース１内に吸入され、この空気の大部分は凝縮器４で加熱され、相対湿度が低くなった状態で、送風口３から室内に送風されるようになっている。
【００１７】
また、送風手段であるファン８により本体ケース１内に吸入された空気の一部は、加熱され、相対湿度が低くなった状態で除湿ロータ６の放出部を通過し、この時この放出部からの放出湿度を伴って次に蒸発器５へと誘導され、この蒸発器５で冷却され、ここで湿気を結露させる。この結露水はドレインパン９を介してタンク１０中に溜められる。
【００１８】
また、蒸発器５で結露しなかった湿気は除湿ロータ６の吸湿部で吸湿され、この吸湿部は除湿ロータ６の回転によりその後上記放出部となり、これにより捕らえた湿気を加熱空気に再放出させ、次に蒸発器５で冷却し、湿気を結露させて除去する。
【００１９】
そしてこのような除湿動作により、乾燥した空気が生成され、この乾燥空気が上述の送風口３から本体ケース１後方の室内に送風されるようになっている。
【００２０】
したがって、この送風部分に洗濯物を干しておれば、乾燥が効率的に進むものとなるのである。
【００２１】
本実施形態における特徴点は、図３から図６に示すように、本体ケース１の構造にある。この本体ケース１は、略箱形状のケース部１１と、このケース部１１に固定される天面部１２と、側面部１３と、この側面部１３の内方に設けられる中板部１４とから形成している。
【００２２】
ケース部１１は、略箱形状で、本体ケース１における天面に第１の開口部１５および送風口３と、本体ケース１における一方側の側面に第２の開口部１６と、本体ケース１の背面には吸込口２とを備えている。
【００２３】
天面部１２は、略椀形状で、ケース部１１の第１の開口部１５の一部を覆うものである。この天面部１２の上面には、回動自在なコの字形状の取手部１７を備えている。
【００２４】
側面部１３は、材質が透明または半透明の樹脂で、本体ケース１の前面から見ると断面形状が略Ｌ字形状で、第１の開口部１５の一部と第２の開口部１６とを覆うものである。具体的には、側面部１３は、本体ケース１における一方側の側面である平板形状の側面板部１８と、本体ケース１における天面の一部である平板形状の天面板部１９と、側面板部１８と天面板部１９とを連結する曲面形状の曲面板部２０とから形成している。ここで、曲面板部２０の内面には、本体ケース１の下方へ延びた縦長平板形状の中板上支持部２１を備え、側面板部１８の下部には、本体ケース１の内方へ延びた中板下支持部２２を備えている。
【００２５】
中板部１４は、縦長四角形状の弾力性のある平板である。材質は、紙、樹脂、金属等、弾力性のあるものであれば良い。そして、本体ケース１における外方側の面に、印刷、塗装等で模様を施したものである。この中板部１４を材質が透明または半透明の樹脂である側面部１３の内面に取付けることにより、本体ケース１の外から中板部１４が見えるものである。ここで、中板部１４の模様、色を変えることにより、空気調和装置のバリエーションを容易に増やすことができるものである。中板部１４の取り付け方法は、中板部１４の少なくとも一部を中板上支持部２１と中板下支持部２２と間に嵌め、側面部１３に沿わせるように湾曲させて、側面部１３の内方に固定するものである。つまり、中板部１４を湾曲させると、中板部１４自身の弾力性で、平板形状に戻ろうとする。この戻ろうとする力によって、中板部１４は中板上支持部２１と中板下支持部２２と間に固定できるものである。
【００２６】
すなわち、中板部１４の少なくとも一部を中板下支持部２２に嵌め、側面部に沿わせるように湾曲させながら、中板上支持部２１に嵌め固定できるので、中板部１４と側面部１３とが擦れることなく、固定でき、この中板部１４を側面部１３に固定した状態で、ケース部１１の第２の開口部１６に装着できるものである。結果として、組立作業性を向上することが出来るものである。なお、空気調和手段は、除湿手段に限られるものではなく、空気清浄手段、加湿手段、脱臭手段等でも、本発明は同様の効果を奏するものである。
【００２７】
また、側面板部１８の両側端には、中板側端支持部２３を設けたものである。具体的には、側面部１３の側面板部１８は、略縦長四角形状で、長手方向の辺部分である両側端の一部から本体ケースにおける内方へ延びた略縦長四角形状の中板側端支持部２３を備えたものである。
【００２８】
すなわち、中板部１４の少なくとも一部を中板下支持部２２に嵌め、側面部に沿わせるように湾曲させながら、中板上支持部２１に嵌め固定すると、中板部１４は、中板側端支持部２３の間に入るものである。これにより、中板部１４の本体ケース１における前後方向の移動が抑えられるので、より確実に中板部１４を側面部１３に固定することができる。
【００２９】
また、中板側端支持部２３と中板下支持部２２とは連結しているものである。具体的には、中板側端支持部２３は、長手方向の辺部分である両側端の一部から本体ケースにおける内方へ延びた略縦長四角形状の平板である。中板下支持部２２は、略縦長四角形状の側面板部での、短手方向の辺部分である下端部から本体ケースにおける内方へ延びた略横長四角形状の平板である。ここで、中板側端支持部２３と中板下支持部２２とは連結しているものである。
【００３０】
すなわち、中板側端支持部２３と中板下支持部２２とは、本体ケース１における他側面側から見ると、上が開口したコの字形状となる。つまり、連結した中板側端支持部２３と中板下支持部２２とが、側面部１３の側面板部１８の３辺周縁部に位置するので、側面板部１８の強度が向上するものである。
【００３１】
また、中板部１４は、中板側端支持部２３の間に両側端から延びたフランジ部２４を設けたものである。具体的には、中板部１４は、縦長四角形状の平板であり、フランジ部２４は、中板部１４の長手方向の辺部分である両側端の一部から本体ケース１における内方へ延びた略縦長四角形状の平板である。つまり、フランジ部２４は、中板部１４の長手方向の辺部分である両側端の一部を本体ケース１における内方へ折り曲げたものである。
【００３２】
これにより、中板部１４の上下方向の強度が増し、側面板部１８に中板部１４を取付けた場合に、中板部１４が側面板部１８の内面に沿い易くなるものである。
【００３３】
また、ケース部１１の第２の開口部１６の下部にはスライド部２７を設け、第２の開口部１６の上部には中板上支持受部２８を設け、側面板部１８を第２の開口部１６の上から下方向へ挿入すると、側面板部１８の中板側端支持部２３の一部がケース部１１のスライド部２７に嵌り、側面部１３の中板上支持部２１が第２の開口部１６の中板上支持受部２８に嵌る構成としたものである。具体的には、ケース部１１の第２の開口部１６の下部にはスライド部２７を設けている。ここで、本体ケース１のケース部１１の前面および背面は、それぞれ本体ケース１の中央から両側面に向かうにつれて、本体ケース１の内方へ湾曲している。すなわち、上からケース部１１を見ると、ケース部１１は略楕円形状である。そして、ケース部１１の第２の開口部１６から本体ケース１の内部に所定距離入り込んだ位置に、縦長四角形状の平板部２５が、ケース部１１の前面から背面へ延びている。この平板部２５は、ケース部１１の第２の開口部１６に対向している垂直面である。スライド部２７は、平板部２５とケース部１１の第２の開口部１６の周縁部２６とから形成している。つまり、側面板部１８を第２の開口部１６の上から下方向へ挿入すると、側面板部１８の中板側端支持部２３の一部がケース部１１のスライド部２７、平板部２５とケース部１１の第２の開口部１６の周縁部２６との間に嵌るものである。そして、第２の開口部１６の上部には中板上支持受部２８を設けている。この中板上支持受部２８は、ケース部１１の前面および背面から、第２の開口部の内方へ延びている平板で、この平板は、縦長四角形状の孔２９を有するものである。この孔２９に、曲面板部の内面から下方へ延びた縦長平板形状の中板上支持部２１が嵌るものである。
【００３４】
このように、側面板部１８を第２の開口部１６の上から下方向へ挿入すると、側面板部１８の中板側端支持部２３の一部がケース部１１のスライド部２７に嵌り、側面部１３の中板上支持部２１が第２の開口部１６の中板上支持受部２８に嵌るものである。すなわち、側面部１３の中板上支持部２１が第２の開口部１６の中板上支持受部２８に嵌ることにより、ケース部１１の前面と背面とが、本体ケース１における前後方向に開くこと防止できる。また、中板部１４の一部は、側面部１３と中板上支持受部２８との間に入り、中板上支持受部２８は、中板部１４を側面部１３の内面に押し当てるので、中板部１４は側面部１３の内面に沿い易くなる。
【００３５】
また、天面部１２には、ケース部１１へのねじ止め部３０と、天面部１２からケース部１１の第２の開口部１６へ延びた押さえ部３１を設け、側面部１３の天面板部１９または曲面板部２０の内面には、押さえ受け部３３を備え、天面部１２の押さえ部３１を側面部１３の押さえ受け部３３に嵌め、天面部１２と共に側面板部１８を第２の開口部１６の上から下方向へ挿入すると、側面板部１８の中板側端支持部２３の一部が１６の中板上支持受部２８に嵌る構成としたものである。
【００３６】
具体的には、ケース部１１の上部には、ねじを締結できる複数のねじ受部３２を備えている。天面部１２には、円形の孔であるねじ止め部３０と、天面部１２からケース部１１の第２の開口部１６へ延びた押さえ部３１、つまり、天面部１２から水平方向に延びた略四角形状の平板を設けている。ねじ止め部３０は、天面部１２に設けた回動自在なコの字形状の取手部１７の下に位置するものである。
【００３７】
そして、側面部１３の曲面板部２０または天面板部１９の内面には、押さえ受け部３３を備えている。この押さえ受け部３３は、側面部１３の内面から下方向に延びた略四角形状の平板で、この平板は、横長四角形状の孔３４を有するものである。
【００３８】
ここで、天面部１２の押さえ部３１を側面部の押さえ受け部３３に嵌め、天面部１２と共に側面部１３を第２の開口部１６の上から下方向へ挿入すると、側面板部１８の中板側端支持部２３の一部がケース部１１のスライド部２７に嵌り、側面部１３の中板上支持部２１が第２の開口部１６の中板上支持受部２８に嵌るものである。そして、ケース部１１の上部のねじ受部３２に、天面部１２のねじ止め部３０を介して、天面部１２をケース部１１にねじ止めすると、側面部１３もケース部１１に同時に固定できるものである。また、側面部１３の天面板部１９と曲面板部２０の外面を塗装することにより、側面部１３の中板上支持部２１と押さえ受け部３３とは本体ケース１外方から見えなくなるので、デザイン性が向上する。
【産業上の利用可能性】
【００３９】
以上のように本発明は、吸気口と送風口とを有する本体ケースと、この本体ケース内に設けた空気調和手段と送風手段とを備え、前記本体ケースは、略箱形状で、前記本体ケースにおける天面に第１の開口部と、前記本体ケースにおける一方側の側面に第２の開口部とを備えたケース部と、前記第１の開口部の一部を覆う天面部と、前記第１の開口部の一部と前記第２の開口部とを覆う側面部と、前記側面部の内方に設けた中板部とから形成し、前記側面部は、前記本体ケースにおける一方側の側面である側面板部と、前記本体ケースにおける天面の一部である天面板部と、前記側面板部と前記天面板部とを連結する曲面板部とから形成し、前記側面部は、透明または半透明の樹脂で、前記天面板部または曲面板部の内面には、中板上支持部を備え、前記側面板部の下部には、中板下支持部を備え、前記中板部の少なくとも一部を前記中板上支持部と前記中板下支持部と間に嵌め、前記側面部に沿わせるように湾曲させて固定する構成としたものであり、組立作業性を向上することが出来るものである。
【００４０】
すなわち、側面部は、本体ケースにおける一方側の側面である側面板部と、本体ケースにおける天面の一部である天面板部と、側面板部と天面板部とを連結する曲面板部とから形成し、側面部は、透明または半透明の樹脂で、天面板部または曲面板部の内面には、中板上支持部を備え、側面板部の下部には、中板下支持部を備えたものである。
【００４１】
これにより、中板部の少なくとも一部を中板上支持部と中板下支持部と間に嵌め、側面部に沿わせるように湾曲させて固定できるものである。
【００４２】
つまり、中板部の少なくとも一部を中板上支持部に嵌め、側面部に沿わせるように湾曲させながら、中板下支持部に嵌め固定できるので、中板部と側面部とが擦れることなく、固定でき、この中板部を側面部に固定した状態で、本体ケースの第２の開口部に装着できるものである。
【００４３】
結果として、組立作業性を向上することが出来るものである。
【００４４】
従って、家庭用や事務所用などの、除湿機などの透明または半透明の部品が本体ケースの一部に使用される空気調和装置として活用が期待されるものである。
【符号の説明】
【００４５】
１    本体ケース
２    吸込口
３    送風口
４    凝縮器
５    蒸発器
６    除湿ロータ
７    モータ
８    ファン
９    ドレインパン
１０  タンク
１１  ケース部
１２  天面部
１３  側面部
１４  中板部
１５  第１の開口部
１６  第２の開口部
１７  取手部
１８  側面板部
１９  天面板部
２０  曲面板部
２１  中板上支持部
２２  中板下支持部
２３  中板側端支持部
２４  フランジ部
２５  平板部
２６  周縁部
２７  スライド部
２８  中板上支持受部
２９  孔
３０  ねじ止め部
３１  押さえ部
３３  押さえ受け部
３４  孔
【図１】
2012193886.tif 000003
【図２】
2012193886.tif 000004
【図３】
2012193886.tif 000005
【図４】
2012193886.tif 000006
【図５】
2012193886.tif 000007
【図６】
2012193886.tif 000008